(57)【要約】【課題】太陽電池モジュールおよび太陽電池モジュール用の端子ボックスの長寿命化を容易に図る。【解決手段】端子ボックスは、太陽電池パネルの表面に固定され、基体部とカバー部とを有する。基体部は、底板部分と１以上の保持部分と端子部品群とを含む。底板部分は、第１方向を向いており、表面に固定されている第１面と、第１方向とは逆の第２方向を向いている第２面と、を有する。１以上の保持部分は、底板部分から第２方向の側に突出するように位置し、カバー部を脱着可能な状態で直接または保持用部品を介して保持している。端子部品群は、配線材が接続され、底板部分の第２面上に位置している。カバー部は、側板部分と上板部分とを含む。側板部分は、少なくとも第２方向に対して垂直な方向において端子部品群を囲む領域に位置している。上板部分は、端子部品群を挟んで底板部分に対向するように位置している。【選択図】図４
2018074805.tif 000002
【特許請求の範囲】
【請求項１】
光電変換部を有する太陽電池パネルと、
前記光電変換部に電気的に接続されている配線材と、
前記太陽電池パネルの表面に固定されている端子ボックスと、を備え、
前記端子ボックスは、
基体部と、カバー部と、を有し、
前記基体部は、
前記表面に対向するように第１方向を向いており且つ前記表面に固定されている第１面と、前記第１方向とは逆の第２方向を向いている第２面と、を有する底板部分と、
該底板部分から前記第２方向の側に突出するように位置しており且つ前記カバー部を脱着可能な状態で直接または保持用部品を介して保持している１以上の保持部分と、
前記配線材が接続されており且つ前記底板部分の前記第２面上に位置している端子部品群と、を含み、
前記カバー部は、
少なくとも前記第２方向に対して垂直な方向において前記端子部品群を囲んでいる領域に位置している側板部分と、
前記端子部品群を挟んで前記底板部分に対向するように位置している上板部分と、を含んでいる、太陽電池モジュール。
【請求項２】
請求項１の太陽電池モジュールであって、
前記側板部分が、前記底板部分に近接または当接している、太陽電池モジュール。
【請求項３】
請求項１または請求項２に記載の太陽電池モジュールであって、
ケーブル本体部と、該ケーブル本体部に電気的に接続されているケーブル端子部と、を有するケーブル、を備え、
前記カバー部は、前記ケーブル本体部が挿通するように位置している第１開口を形成している第１縁部を有し、
前記端子部品群は、前記ケーブル端子部が脱着可能な状態で装着されている被装着部、を有している、太陽電池モジュール。
【請求項４】
請求項１から請求項３の何れか１つの請求項に記載の太陽電池モジュールであって、
前記底板部分は、前記配線材が挿通可能な第２開口を形成している第２縁部を有するとともに、
前記太陽電池モジュールは、
前記配線材が挿通している状態で位置している前記第２開口を閉塞している封止部材、を備え、
前記底板部分は、前記端子部品群が固定されている台座を有し、
前記封止部材は、前記台座を覆わない状態で前記第２開口を塞いでいる、太陽電池モジュール。
【請求項５】
請求項１から請求項４の何れか１つの請求項に記載の太陽電池モジュールであって、
前記基体部と前記カバー部との隙間を塞ぐように位置している第１パッキング部材、を備えている、太陽電池モジュール。
【請求項６】
請求項１から請求項５の何れか１つの請求項に記載の太陽電池モジュールであって、
前記カバー部は、
前記側板部分を含み且つ前記第２方向の側に位置している第３開口を形成している第３縁部を有している、カバー本体部と、
前記上板部分を含み且つ前記第３開口を塞ぐように前記カバー本体部に対して脱着可能な状態で取り付けられている蓋体部と、を含んでいる、太陽電池モジュール。
【請求項７】
請求項６に記載の太陽電池モジュールであって、
前記カバー本体部と前記蓋体部との隙間を塞ぐように位置している第２パッキング部材、を備えている、太陽電池モジュール。
【請求項８】
請求項５または請求項７に記載の太陽電池モジュールであって、
前記保持用部品は、雄ネジ部品、を含み、
前記１以上の保持部分は、先端部に開口が位置し且つ内周面に雌ネジ部が位置している孔部を有している柱状部分、を含み、
前記カバー部は、前記上板部分を前記第１方向に貫通している貫通孔、を有し、
前記雄ネジ部品は、前記貫通孔を介して前記雌ネジ部に嵌合されている、太陽電池モジュール。
【請求項９】
請求項１から請求項８の何れか１つの請求項に記載の太陽電池モジュールであって、
第１電極部と第２電極部とを有するダイオード、を備え、
前記端子部品群は、第１端子部品と、第２端子部品と、第３端子部品と、を含み、
前記第１端子部品は、前記第１電極部が脱着可能な状態で装着されている第１電極装着部、を有し、
前記第２端子部品は、前記第２電極部が脱着可能な状態で装着されている第２電極被装着部、を有している、太陽電池モジュール。
【請求項１０】
基体部と、該基体部に対して着脱可能なカバー部と、を備え、
前記基体部は、
光電変換部を有する太陽電池パネルの表面に固定されるための第１方向を向いている第１面と、前記第１方向とは逆の第２方向を向いている第２面と、を有する底板部分と、
該底板部分から前記第２方向の側に突出するように位置しており且つ前記カバー部を着脱可能に直接または保持用部品を介して保持することが可能な１以上の保持部分と、
前記光電変換部に電気的に接続されている配線材を接続することが可能である端子部品群と、
該端子部品群を固定することが可能であり且つ前記底板部分の前記第２面上に位置している台座と、を含み、
前記カバー部は、
前記基体部によって保持されている際に、少なくとも前記第２方向に対して垂直な方向において前記端子部品群を囲んでいる領域に位置している側板部分と、前記端子部品群を挟んで前記底板部分に対向するように位置している上板部分と、を含んでいる、太陽電池モジュール用の端子ボックス。
【発明の詳細な説明】
【技術分野】
【０００１】
本開示は、太陽電池モジュールおよび太陽電池モジュール用の端子ボックスに関する。
【背景技術】
【０００２】
太陽電池モジュールには、太陽電池パネルの裏面に端子ボックスが取り付けられているものがある。この端子ボックスには、例えば、太陽電池パネルにおける光電変換によって得られた電気を、太陽電池モジュールの外部に出力するためのケーブルが接続される（例えば、下記の特許文献１等を参照）。
【先行技術文献】
【特許文献】
【０００３】
【特許文献１】特開２００７−１１５９１５号公報
【発明の概要】
【発明が解決しようとする課題】
【０００４】
太陽電池モジュールおよび太陽電池モジュール用の端子ボックスについては、長寿命化を容易に図る点で改善の余地がある。
【課題を解決するための手段】
【０００５】
太陽電池モジュールおよび太陽電池モジュール用の端子ボックスが開示される。
【０００６】
太陽電池モジュールの一態様は、太陽電池パネルと、配線材と、端子ボックスと、を備えている。前記配線材は、前記太陽電池パネルの光電変換部と電気的に接続されている。前記端子ボックスは、前記太陽電池パネルの表面に固定されている。前記端子ボックスは、基体部と、カバー部と、を有している。前記基体部は、底板部分と、１以上の保持部分と、端子部品群と、を含んでいる。前記底板部分は、前記表面に対向するように第１方向を向いており且つ前記表面に固定されている第１面と、前記第１方向とは逆の第２方向を向いている第２面と、を有する。前記１以上の保持部分は、前記底板部分から前記第２方向の側に突出するように位置しており且つ前記カバー部を脱着可能な状態で直接または保持用部品を介して保持している。前記端子部品群は、前記配線材が接続されており且つ前記底板部分の前記第２面上に位置している。前記カバー部は、側板部分と、上板部分と、を含んでいる。前記側板部分は、少なくとも前記第２方向に対して垂直な方向において前記端子部品群を囲んでいる領域に位置している。前記上板部分は、前記端子部品群を挟んで前記底板部分に対向するように位置している。
【０００７】
太陽電池モジュール用の端子ボックスの一態様は、基体部と、該基体部に対して着脱可能なカバー部と、を備えている。前記基体部は、底板部分と、１以上の保持部分と、端子部品群と、台座と、を含んでいる。前記底板部分は、光電変換部を有する太陽電池パネルの表面に固定されるための第１方向を向いている第１面と、前記第１方向とは逆の第２方向を向いている第２面と、を有する。前記１以上の保持部分は、前記底板部分から前記第２方向の側に突出するように位置しており且つ前記カバー部を着脱可能に直接または保持用部品を介して保持することが可能である。前記端子部品群は、前記光電変換部に電気的に接続されている配線材を接続することが可能である。前記台座は、該端子部品群を固定することが可能であり且つ前記底板部分の前記第２面上に位置している。前記カバー部は、前記基体部によって保持されている際に、少なくとも前記第２方向に対して垂直な方向において前記端子部品群を囲んでいる領域に位置している側板部分と、前記端子部品群を挟んで前記底板部分に対向するように位置している上板部分と、を含んでいる。
【発明の効果】
【０００８】
例えば、端子ボックスの部品を簡易に交換可能とすることで、太陽電池モジュールおよび太陽電池モジュール用の端子ボックスの長寿命化を容易に図ることができる。
【図面の簡単な説明】
【０００９】
【図１】図１は、第１実施形態に係る太陽電池モジュールの一例の構成を示す上面図である。
【図２】図２は、第１実施形態に係る太陽電池モジュールの一例の構成を示す裏面図である。
【図３】図３は、図２の部分Ｐ１における端子ボックスの一例の構成を示す拡大平面図である。
【図４】図４は、図３のIV−IV線に沿った端子ボックスの断面を示す分解断面図である。
【図５】図５は、端子ボックスから蓋体部を取り外した様子を例示する平面図である。
【図６】図６は、基体部の一例の構成を示す平面分解図である。
【図７】図７は、基体部の一例の構成を示す正面分解図である。
【図８】図８は、カバー本体部の一例の構成を示す平面図である。
【図９】図９は、カバー本体部の一例の構成を示す正面図である。
【図１０】図１０は、ケーブルの一例の構成を示す平面図である。
【図１１】図１１は、ケーブルの一例の構成を示す正面図である。
【図１２】図１２は、蓋体部の一例の構成を示す平面図である。
【図１３】図１３は、蓋体部の一例の構成を示す正面図である。
【図１４】図１４は、第２実施形態に係る端子ボックスの一例の構成におけるIV−IV線に沿った断面に対応する断面を示す分解断面図である。
【図１５】図１５は、第３実施形態に係る端子ボックスの一例の構成を示す平面図である。
【図１６】図１６は、第４実施形態に係る端子ボックスの一例の構成におけるIV−IV線に沿った断面に対応する断面を示す分解断面図である。
【図１７】図１７は、第５実施形態に係る端子ボックスの一例の構成におけるIV−IV線に沿った断面に対応する断面を示す分解断面図である。
【図１８】図１８は、第５実施形態に係る端子ボックスの一例の構成を示す背面図である。
【図１９】図１９は、第６実施形態に係る端子ボックスの一例の構成におけるIV−IV線に沿った断面に対応する断面を示す分解断面図である。
【図２０】図２０は、第６実施形態に係る端子ボックスの一例の構成を示す背面図である。
【図２１】図２１は、一変形例に係るカバー本体部および蓋体部の簡略的な構成を示す斜視図である。
【発明を実施するための形態】
【００１０】
＜１．基礎技術＞
太陽電池モジュールには、長期間の使用が可能となるように耐久性を高めることが求められている。このため、例えば、光電変換部を表側および裏側の両側から２枚のガラス基板で挟むことで、太陽電池モジュールの耐湿性を高めることが考えられる。
【００１１】
ところで、太陽電池モジュールでは、一般に光電変換によって得られた電気を外部に出力するために樹脂製の端子ボックスが太陽電池パネルの裏面に取り付けられている。この端子ボックスには、光電変換部に電気的に接続された配線材が接続されているとともに、電気を出力するために、電線が樹脂で被覆されたケーブルが接続されている。
【００１２】
このような構成では、光電変換部が２枚のガラス基板によって挟まれていても、端子ボックスおよびケーブル等の樹脂製の部分が外部に露出している。この場合、温度の変化、湿気および紫外線の照射等の影響によって、太陽電池モジュールの他の部品よりも、端子ボックスおよびケーブル等が劣化するおそれがある。このため、例えば、端子ボックスおよびケーブル等が劣化する度に、端子ボックスおよびケーブル等を交換することで、端子ボックスおよび太陽電池モジュールの長寿命化を図ることが考えられる。
【００１３】
しかしながら、端子ボックスおよびケーブル等の交換によって資源の使用量が増加し、太陽電池モジュールのランニングコストの上昇をまねくおそれがある。
【００１４】
そこで、本願発明者らは、太陽電池モジュールおよび太陽電池モジュール用の端子ボックスについて、長寿命化を容易に図ることができる技術を創出した。
【００１５】
これについて、以下、各種実施形態を図面に基づいて説明する。なお、図面においては同様な構成および機能を有する部分に同じ符号が付されており、下記説明では重複説明が省略される。また、図面は模式的に示されたものである。図１から図２１には、右手系のＸＹＺ座標系が付されている。該ＸＹＺ座標系では、太陽電池パネル１の前面１ｆの長手方向が＋Ｙ方向とされ、該前面１ｆの短手方向が＋Ｘ方向とされ、＋Ｘ方向と＋Ｙ方向との両方に直交する方向が＋Ｚ方向とされている。
【００１６】
＜２．第１実施形態＞
＜２−１．太陽電池モジュールの概略的な構成＞
第１実施形態に係る太陽電池モジュール１００について、図１から図１３に基づいて説明する。図１および図２で示されるように、太陽電池モジュール１００は、例えば、太陽電池パネル１と、配線材Ｗ１と、端子ボックス３と、を備えている。
【００１７】
図１、図２および図４で示されるように、太陽電池パネル１は、例えば、第１板部１１と、第２板部１２と、光電変換部１３と、を有している。図１、図２および図４の例では、第１板部１１の＋Ｚ方向の表面が、主として太陽光等の外光が照射される表面（前面ともいう）１ｆとされている。また、第２板部１２の−Ｚ方向の側の表面が、前面１ｆよりも太陽光等の外光が照射されない表面（裏面ともいう）１ｂとされている。太陽電池パネル１の前面１ｆと裏面１ｂとを接続している外周部には、フレーム２が取り付けられていてもよいし、フレーム２が取り付けられていなくてもよい。
【００１８】
第１板部１１は、光電変換部１３を前面１ｆ側から保護することができる。第１板部１１は、例えば、特定範囲の波長の光に対する透光性を有している。特定範囲の波長としては、例えば、光電変換部１３が光電変換し得る光の波長が採用される。第１板部１１として、例えば、ガラスあるいはアクリルまたはポリカーボネート等の樹脂が採用されれば、遮水性と特定範囲の波長の光に対する透光性とが実現される。第１板部１１としては、例えば、表面および裏面の双方が長方形を有しており、厚さが１ｍｍから５ｍｍ程度の平板状のものが採用される。
【００１９】
第２板部１２は、第１板部１１と対向するように位置している。第１板部１１と第２板部１２との間の領域（間隙領域ともいう）１ｇｐには、光電変換部１３が存在している。このため、第２板部１２は、第１板部１１とともに光電変換部１３を保護することができる。間隙領域１ｇｐには、例えば、光電変換部１３を覆うように封止材が充填されている。封止材の素材としては、例えば、特定範囲の波長の光に対する透光性が優れたエチレン酢酸ビニル共重合体（ＥＶＡ）、トリアセチルセルロース（ＴＡＣ）またはポリエチレンナフタレート等のポリエステル樹脂等が採用される。第２板部１２は、例えば、特定範囲の波長の光に対する透光性を有していてもよいし、特定範囲の波長の光に対する透光性を有していなくてもよい。第２板部１２の素材、形状および厚さとしては、例えば、第１板部１１の素材、形状および厚さと同様なものが採用される。
【００２０】
光電変換部１３は、入射される太陽光を電気に変換することが可能なＮ個（Ｎは１以上の整数）の太陽電池素子１３１を有している。太陽電池素子１３１としては、例えば、結晶系の太陽電池素子または薄膜系の太陽電池素子が採用され得る。図１の例では、太陽電池素子１３１として結晶シリコンの太陽電池素子が採用されている。そして、４２枚の太陽電池素子１３１が接続導体１３２によって電気的に直列に接続されている。具体的には、光電変換部１３は、６つの太陽電池素子群Ｓ１，Ｓ２，Ｓ３，Ｓ４，Ｓ５，Ｓ６を有している。各太陽電池素子群Ｓ１，Ｓ２，Ｓ３，Ｓ４，Ｓ５，Ｓ６では、＋Ｙ方向に沿って並べられた７枚の太陽電池素子１３１が接続導体１３２で電気的に直列に接続されている。そして、６つの太陽電池素子群Ｓ１，Ｓ２，Ｓ３，Ｓ４，Ｓ５，Ｓ６が、＋Ｘ方向に並べられた状態で、接続導体１３２によって電気的に直列に接続されている。
【００２１】
配線材Ｗ１は、光電変換部１３に電気的に接続されている。配線材Ｗ１は、銅等の導電性に優れた素材によって構成されている。配線材Ｗ１としては、例えば、銅箔が採用される。また、例えば、配線材Ｗ１として、はんだが被覆された銅箔が採用されれば、配線材Ｗ１のはんだ付けが容易である。配線材Ｗ１は、例えば、第２板部１２の貫通孔１２Ｈを介して、裏面１ｂ上に位置している端子ボックス３に接続している。図１の例では、各太陽電池素子群Ｓ１，Ｓ２，Ｓ３，Ｓ４，Ｓ５，Ｓ６に１本の配線材Ｗ１が電気的に接続されている。具体的には、太陽電池素子群Ｓ１に１本目の配線材Ｗ１１が電気的に接続されている。太陽電池素子群Ｓ２，Ｓ３には２本目の配線材Ｗ１２が電気的に接続されている。太陽電池素子群Ｓ４，Ｓ５には３本目の配線材Ｗ１３が電気的に接続されている。太陽電池素子群Ｓ６に４本目の配線材Ｗ１４が電気的に接続されている。そして、１本目の配線材Ｗ１１が第１貫通孔１２Ｈ１を挿通するように位置している。２本目の配線材Ｗ１２が第２貫通孔１２Ｈ２を挿通するように位置している。３本目の配線材Ｗ１３が第３貫通孔１２Ｈ３を挿通するように位置している。４本目の配線材Ｗ１４が第４貫通孔１２Ｈ４を挿通するように位置している。各貫通孔１２Ｈは、配線材Ｗ１が挿通されている状態で、例えば、ブチル系の樹脂またはポリイソプロピレン系の樹脂等の封止材によって封止される。
【００２２】
図２で示されるように、端子ボックス３は、太陽電池パネルの裏面１ｂに固定されている。例えば、端子ボックス３は、シリコン系の接着剤等を用いた接着によって裏面１ｂに固定され得る。図２および図３で示されるように、端子ボックス３には、光電変換部１３で生じた電気を出力するためのケーブル４が電気的に接続されている。ケーブル４は、例えば、端子ボックス３の開口（第１開口ともいう）Ｏｐ１を挿通するように位置している。第１開口Ｏｐ１は、端子ボックス３における環状の縁部（第１縁部ともいう）Ｅｄ１によって形成されている。ケーブル４には、正極用のケーブル４および負極用のケーブル４が含まれている。
【００２３】
＜２−２．端子ボックス＞
端子ボックス３について、図３から図１３に基づいて説明する。端子ボックス３は、いわゆるジャンクションボックスと称されるものである。図３および図４で示されるように、端子ボックス３は、基体部３１とカバー部３ｃｖとを有している。基体部３１は、太陽電池パネル１の裏面１ｂに固定されている部分である。カバー部３ｃｖは、基体部３１に位置している端子部品群３１ｅｇ等を覆うように位置している。これにより、カバー部３ｃｖは、端子部品群３１ｅｇ等を保護することができる。
【００２４】
＜２−２−１．基体部＞
図３から図７で示されるように、基体部３１は、例えば、底板部分３１ｂｐと、１以上の保持部分３１ｈと、端子部品群３１ｅｇと、ダイオード３１ｂｙと、を有している。
【００２５】
底板部分３１ｂｐは、太陽電池パネル１の裏面１ｂに対向するように第１方向としての＋Ｚ方向を向いている第１面Ｓｆ１と、第１方向とは逆の第２方向としての−Ｚ方向を向いている第２面Ｓｆ２と、を有している。第１面Ｓｆ１は、太陽電池パネル１の裏面１ｂに固定されるための面である。第１面Ｓｆ１は、例えば、シリコン系の接着剤等を用いた接着等によって裏面１ｂに固定される。底板部分３１ｂｐは、例えば、耐紫外線性を含む耐候性および遮水性に優れた樹脂等の一体成型等によって形成される。また、例えば、底板部分３１ｂｐは、第２縁部Ｅｄ２と、台座３１Ｂｓと、環状溝部１Ｃｇと、を有している。
【００２６】
第２縁部Ｅｄ２は、第２開口Ｏｐ２を形成している縁部である。第２開口Ｏｐ２は、太陽電池パネル１から貫通孔１２Ｈを介して位置している配線材Ｗ１が挿通可能な開口である。図６の例では、４つの円環状の第２縁部Ｅｄ２によって＋Ｚ方向に貫通する４つの円形の第２開口Ｏｐ２が形成されている。
【００２７】
台座３１Ｂｓは、底板部分３１ｂｐの第２面Ｓｆ２側に位置している。台座３１Ｂｓには、端子部品群３１ｅｇを固定することが可能である。台座３１Ｂｓは、例えば、底板部分３１ｂｐと一体的な構造を有していてもよいし、底板部分３１ｂｐに接合、嵌合および接着等によって固定されていてもよい。台座３１Ｂｓには、例えば、端子部品群３１ｅｇをネジ止め可能な雌ネジ部を有する孔部、または端子部品群３１ｅｇを挿入によって固定可能な隙間等が形成されている。
【００２８】
環状溝部１Ｃｇは、基体部３１にカバー部３ｃｖを取り付けた際に、カバー部３ｃｖとの間で封止を行うための部分である。図６で示されるように、環状溝部１Ｃｇは、−Ｚ方向に平面視して、４つの第２開口Ｏｐ２を形成している４つの第２縁部Ｅｄ２および台座３１Ｂｓを囲む環状の領域に存在している。図４および図６の例では、環状溝部１Ｃｇは、底板部分３１ｂｐの第２面Ｓｆ２の環状の領域から−Ｚ方向に突起している環状の突起部の頂面に、環状に延びるように位置している。環状溝部１Ｃｇには、基体部３１とカバー部３ｃｖとの隙間を塞ぐためのパッキング部材（第１パッキング部材ともいう）Ｐｋ１を配置することができる。第１パッキング部材Ｐｋ１は、環状溝部１Ｃｇに嵌まり込むような形状を有している。第１パッキング部材Ｐｋ１の素材としては、例えば、ブチルゴム等の弾性変形が可能であり且つ耐候性に優れた素材が採用される。
【００２９】
１以上の保持部分３１ｈは、底板部分３１ｂｐから第２方向（ここでは、−Ｚ方向）の側に突出するように位置している。該１以上の保持部分３１ｈは、カバー部３ｃｖを着脱可能に保持することが可能である。１以上の保持部分３１ｈは、直接または保持用の部品（保持用部品ともいう）を介して、カバー部３ｃｖを着脱可能に保持することができる。１以上の保持部分３１ｈは、例えば、カバー部３ｃｖの一部に対して、直接または保持用部品を介して、掛かり合うかまたは嵌まり合う構成によって、カバー部３ｃｖを着脱可能に保持することができる。図３から図７の例では、１以上の保持部分３１ｈは、−Ｚ方向に平面視して、環状溝部１Ｃｇの外側に設けられている。１以上の保持部分３１ｈには、第１保持部分３１ｈ１と第２保持部分３１ｈ２とが含まれている。第１保持部分３１ｈ１は、底板部分３１ｂｐの−Ｙ方向の側の端部の一部から−Ｚ方向に突出しており、＋Ｙ方向に貫通する孔部Ｆ１ｈが形成されている板状の部分を有している。該板状の部分は、素材と厚さとが適宜調整されており、−Ｙ方向に倒れる方向に弾性変形を生じることが可能である。第２保持部分３１ｈ２は、底板部分３１ｂｐの＋Ｙ方向の側の部分において、−Ｚ方向の側の面から＋Ｙ方向に突起しており且つ＋Ｘ方向に沿って延びるように存在している突起部を有している。ここで、例えば、２つ以上の保持部分３１ｈが存在する場合には、２つ以上の保持部分３１ｈが、台座３１Ｂｓを挟むように位置していれば、２つ以上の保持部分３１ｈによって、カバー部３ｃｖが安定して保持され得る。
【００３０】
端子部品群３１ｅｇは、底板部分３１ｂｐの第２面Ｓｆ２上に位置している。端子部品群３１ｅｇには、配線材Ｗ１を接続することが可能である。図４から図７の例では、端子部品群３１ｅｇには、第１から第４端子部品Ｅｐ１，Ｅｐ２，Ｅｐ３，Ｅｐ４が含まれている。第１から第４端子部品Ｅｐ１，Ｅｐ２，Ｅｐ３，Ｅｐ４は、例えば、導電性を有する金属等で構成されている。第１端子部品Ｅｐ１は、台座３１Ｂｓの第１台座部分Ｂｓ１に固定される。第２端子部品Ｅｐ２は、台座３１Ｂｓの第２台座部分Ｂｓ２に固定される。第３端子部品Ｅｐ３は、台座３１Ｂｓの第３台座部分Ｂｓ３に固定される。第４端子部品Ｅｐ４は、台座３１Ｂｓの第２台座部分Ｂｓ４に固定される。台座３１Ｂｓに固定されている第１から第４端子部品Ｅｐ１，Ｅｐ２，Ｅｐ３，Ｅｐ４のそれぞれには、第２開口Ｏｐ２をそれぞれ挿通するように位置している配線材Ｗ１が接続される。具体的には、図５で示されるように、第１端子部品Ｅｐ１に、配線材Ｗ１１が接続されている。第２端子部品Ｅｐ２に、配線材Ｗ１２が接続されている。第３端子部品Ｅｐ３に、配線材Ｗ１３が接続されている。第４端子部品Ｅｐ４に、配線材Ｗ１４が接続されている。第１から第４端子部品Ｅｐ１，Ｅｐ２，Ｅｐ３，Ｅｐ４のそれぞれに対する配線材Ｗ１の接続は、例えば、はんだ付け等による接合または板材間の挟み込み等によって実現される。
【００３１】
ここでは、例えば、図４で示されるように、第２開口Ｏｐ２に配線材Ｗ１が挿通するように位置している状態で、該第２開口Ｏｐ２が封止部材５によって閉塞される。このとき、例えば、封止部材５は、第２開口Ｏｐ２を塞いでいるが、台座３１Ｂｓは覆っていない状態とされる。具体的には、例えば、台座３１Ｂｓのうち、第１から第４端子部品Ｅｐ１，Ｅｐ２，Ｅｐ３，Ｅｐ４が着脱可能に取り付けられる第１から第４台座部分Ｂｓ１，Ｂｓ２，Ｂｓ３，Ｂｓ４については、封止部材５で覆われていない状態とされる。この場合、例えば、配線材Ｗ１が光電変換部１３から各端子部品Ｅｐ１，Ｅｐ２，Ｅｐ３，Ｅｐ４まで位置している経路のうち、基体部３１の底板部分３１ｂｐに設けられた第２開口Ｏｐ２が封止部材５で塞がれている。このため、例えば、底板部分３１ｂｐの第２開口Ｏｐ２を介した水分の通過が抑制され得る。これにより、例えば、端子ボックス３内への水分の浸入および端子ボックス３から太陽電池パネル１内への水分の浸入を抑制することができる。また、例えば、端子部品群３１ｅｇが固定されている台座３１Ｂｓが封止部材５の外に露出されているため、端子部品群３１ｅｇおよび該端子部品群３１ｅｇに取り付けられる部材等を容易に交換することができる。
【００３２】
また、例えば、第１端子部品Ｅｐ１および第４端子部品Ｅｐ４のそれぞれは、ケーブル４を着脱可能に装着させることができる構造を有している。
【００３３】
ここで、図４、図５、図１０および図１１で示されるように、ケーブル４は、例えば、ケーブル本体部４ｃｂと、ケーブル端子部４ｅｔと、端子カバー４ｃｖと、固定部分４ｆｋと、を有している。ケーブル本体部４ｃｂは、例えば、電線の周囲に樹脂等の絶縁体が被覆された構造を有している。ケーブル端子部４ｅｔは、ケーブル本体部４ｃｂに電気的に接続されている。例えば、ケーブル本体部４ｃｂの電線が、ケーブル端子部４ｅｔの圧着部に対して圧着されることで、ケーブル本体部４ｃｂは、ケーブル端子部４ｅｔに対して電気的に接続される。また、ケーブル端子部４ｅｔは、例えば、先端部に、端子ボックス３内の第１端子部品Ｅｐ１および第４端子部品Ｅｐ４に対して接続するための環状の板部４ｅｔｏを有している。端子カバー４ｃｖは、ケーブル本体部４ｃｂの電線とケーブル端子部４ｅｔとの接続部を覆うように位置している。これにより、ケーブル本体部４ｃｂとケーブル端子部４ｅｔとの接続部が、端子カバー４ｃｖによって保護され得る。固定部分４ｆｋは、端子ボックス３に対してケーブル４を着脱自在に固定するための部分である。
【００３４】
図４から図６で示されるように、第１端子部品Ｅｐ１および第４端子部品Ｅｐ４のそれぞれは、例えば、ケーブル４の端子部（ケーブル端子部）４ｅｔが着脱可能に装着される部分（被装着部ともいう）３Ｉｎを有している。被装着部３Ｉｎは、例えば、ケーブル端子部４ｅｔの環状の板部４ｅｔｏを挟み込みによって保持することができる折り返し構造を有している。ここでは、例えば、ケーブル端子部４ｅｔの環状の板部４ｅｔｏが被装着部３Ｉｎに差し込まれることで、ケーブル端子部４ｅｔが、第１端子部品Ｅｐ１または第４端子部品Ｅｐ４に装着される。ここで、例えば、第１端子部品Ｅｐ１にケーブル端子部４ｅｔが装着されると、ケーブル端子部４ｅｔが被装着部３Ｉｎに対して脱着可能な状態で装着されている状態となる。また、第４端子部品Ｅｐ４にケーブル端子部４ｅｔが装着されると、ケーブル端子部４ｅｔが被装着部３Ｉｎに対して脱着可能な状態で装着されている状態となる。これにより、例えば、端子ボックス３の外部への露出度が高くて劣化が生じ易いケーブル４を端子部品群３１ｅｇに対して容易に着脱することができる。このため、例えば、端子ボックス３のカバー部３ｃｖおよび端子部品群３１ｅｇ等を交換することなく、ケーブル４を容易に交換することができる。これにより、資源の使用量を低減しつつ、低コストで劣化し易いケーブル４を交換することができる。したがって、太陽電池モジュール１００の寿命を容易に延ばすことができる。
【００３５】
また、第１から第４端子部品Ｅｐ１，Ｅｐ２，Ｅｐ３，Ｅｐ４は、例えば、ダイオード３１ｂｙを着脱自在に装着させることが可能な構造を有している。例えば、第１端子部品Ｅｐ１は、ダイオード３１ｂｙの第１電極部Ｐｇ１を着脱可能に装着することができる第１電極装着部Ｏｌ１を有している。第２端子部品Ｅｐ２は、ダイオード３１ｂｙの第２電極部Ｐｇ２を着脱可能に装着することができる第２電極装着部Ｏｌ２を有している。第３端子部品Ｅｐ３は、ダイオード３１ｂｙの第３電極部Ｐｇ３を着脱可能に装着することができる第３電極装着部Ｏｌ３を有している。第４端子部品Ｅｐ４は、ダイオード３１ｂｙの第４電極部Ｐｇ４を着脱可能に装着することができる第４電極装着部Ｏｌ４を有している。
【００３６】
ここで、別の観点から言えば、例えば、第１端子部品Ｅｐ１に第１電極部Ｐｇ１が装着された状態では、第１電極部Ｐｇ１は、第１端子部品Ｅｐ１に対して脱着可能な状態で装着されている。第２端子部品Ｅｐ２に第２電極部Ｐｇ２が装着された状態では、第２電極部Ｐｇ２は、第２端子部品Ｅｐ２に対して脱着可能な状態で装着されている。第３端子部品Ｅｐ３に第３電極部Ｐｇ３が装着された状態では、第３電極部Ｐｇ３は、第３端子部品Ｅｐ３に対して脱着可能な状態で装着されている。第４端子部品Ｅｐ４に第４電極部Ｐｇ４が装着された状態では、第４電極部Ｐｇ４は、第４端子部品Ｅｐ４に対して脱着可能な状態で装着されている。
【００３７】
例えば、第１電極装着部Ｏｌ１の孔部に第１電極部Ｐｇ１を挿入し、第１電極部Ｐｇ１の貫通孔を、第１電極装着部Ｏｌ１の孔部内の凸部に嵌合させることで、第１電極部Ｐｇ１を第１電極装着部Ｏｌ１に脱着可能に装着させることができる。第２から第４電極装着部Ｏｌ２，Ｏｌ３，Ｏｌ４に対する第２から第４電極部Ｐｇ２，Ｐｇ３，Ｐｇ４の装着も同様に行うことができる。このため、例えば、第１から第４電極装着部Ｏｌ１，Ｏｌ２，Ｏｌ３，Ｏｌ４に対する第１から第４電極部Ｐｇ１，Ｐｇ２，Ｐｇ３，Ｐｇ４の差し込みと引き抜きとによって、第１から第４電極装着部Ｏｌ１，Ｏｌ２，Ｏｌ３，Ｏｌ４に対する第１から第４電極部Ｐｇ１，Ｐｇ２，Ｐｇ３，Ｐｇ４の装着と脱着とが行われ得る。このような構成により、例えば、端子ボックス３においてダイオード３１ｂｙを容易に交換することができる。これにより、例えば、より少ない部材の交換で端子ボックス３の性能を回復させることができる。
【００３８】
ダイオード３１ｂｙは、いわゆるバイパスダイオードと称されるものである。例えば、直列接続されている一組の太陽電池素子群Ｓ１，Ｓ２、直列接続されている一組の太陽電池素子群Ｓ３，Ｓ４、および直列接続されている一組の太陽電池素子群Ｓ５，Ｓ６のうちの何れかにおいて、受光量の低下に起因して内部抵抗が上昇する場合がある。このような場合に、ダイオード３１ｂｙは、太陽電池素子１３１の発熱を避けるために、内部抵抗が高い組の太陽電池素子群を避けるように電流を流すことができる。また、ダイオード３１ｂｙは、例えば、外部に露出するように突出している第１から第４電極部Ｐｇ１，Ｐｇ２，Ｐｇ３，Ｐｇ４を有している。
【００３９】
＜２−２−２．カバー部＞
図３から図５で示されるように、カバー部３ｃｖは、側板部分３２ｓｐと、上板部分３３ｕｐと、を含んでいる。
【００４０】
側板部分３２ｓｐは、例えば、カバー部３ｃｖが基体部３１によって保持されている際に、少なくとも第２方向（−Ｚ方向）に対して垂直な方向において端子部品群３１ｅｇを囲んでいる領域に位置している。図３から図５の例では、側板部分３２ｓｐは、第２方向（−Ｚ方向）に対して垂直な方向において端子部品群３１ｅｇを全周にわたって囲むように位置している。別の観点から言えば、＋Ｚ方向に平面視した場合に、側板部分３２ｓｐは、端子部品群３１ｅｇを全周にわたって環状に囲むように位置している。側板部分３２ｓｐは、第２方向（−Ｚ方向）に対して垂直な方向において厚さを有している。つまり、側板部分３２ｓｐは、−Ｚ軸に平行な中心軸とする筒状体である。そして、筒状体の内部空間に端子部品群３１ｅｇが位置している。
【００４１】
上板部分３３ｕｐは、カバー部３ｃｖが基体部３１によって保持されている際に、端子部品群３１ｅｇを挟んで底板部分３１ｂｐに対向するように位置している。図３から図５の例では、上板部分３３ｕｐは、底板部分３１ｂｐに略平行である平板状の形状を有している。
【００４２】
また、カバー部３ｃｖは、基体部３１の１以上の保持部分３１ｈによって着脱可能に保持され得る。これにより、例えば、端子ボックス３の外部への露出度が高くて劣化が生じ易い側板部分３２ｓｐおよび上板部分３３ｕｐを含むカバー部３ｃｖを、端子ボックス３の電気回路を構成する端子部品群３１ｅｇを含む基体部３１に対して着脱することができる。このため、例えば、端子部品群３１ｅｇ等を交換することなく、カバー部３ｃｖを交換することができる。これにより、資源の使用量を低減しつつ、低コストで端子ボックス３の劣化し易い部分を交換することができる。その結果、太陽電池モジュール１００の寿命を容易に延ばすことができる。
【００４３】
ここで、例えば、側板部分３２ｓｐが、底板部分３１ｂｐに近接していれば、基体部３１の端子ボックス３の外部への露出度が低減する。このため、端子ボックス３および太陽電池モジュール１００の寿命を容易に延ばすことができる。
【００４４】
図３から図５、図８および図９で示されるように、カバー部３ｃｖは、例えば、１以上の被保持部分３２ｈと、環状封止部２Ｃｐと、２つの筒状部３２ｃｃと、を備えている。
【００４５】
１以上の被保持部分３２ｈは、例えば、基体部３１の１以上の保持部分３１ｈによって保持される部分である。１以上の被保持部分３２ｈは、例えば、直接または保持用の部品（保持用部品）を介して、掛かり合うかまたは嵌まり合う構成によって、１以上の保持部分３１ｈによって保持され得る。図３から図５、図８および図９の例では、１以上の被保持部分３２ｈには、第１被保持部分３２ｈ１と第２被保持部分３２ｈ２とが含まれている。第１被保持部分３２ｈ１は、側板部分３２ｓｐの−Ｙ方向の側の板状の部分から−Ｙ方向に突起している突起部を有している。該突起部は、−Ｚ方向に向かうにつれて、突起している高さが徐々に大きくなっている傾斜面を有している。また、該突起部は、−Ｚ方向の側にＸＹ平面に略平行な第１保持部分３１ｈ１が引っ掛かる面を有している。第２被保持部分３２ｈ２は、側板部分３２ｓｐの＋Ｙ方向の側の板状の部分の＋Ｚ方向の端部から＋Ｙ方向に突出しており且つ＋Ｘ方向に沿って延びるように存在しているフック部を有している。フック部の先端は、鉤型の形状を有しており、第２保持部分３１ｈ２に引っ掛けることができる。ここで、例えば、２つ以上の被保持部分３２ｈが存在する場合には、２つ以上の被保持部分３２ｈが、筒状体としての側板部分３２ｓｐのうちの内部空間を挟むように位置していれば、２つ以上の被保持部分３２ｈによって、基体部３１に対して安定して取り付けられ得る。
【００４６】
環状封止部２Ｃｐは、カバー部３ｃｖの＋Ｚ方向の側の端部の環状の領域から＋Ｚ方向に突起している部分である。図３から図５、図８および図９の例では、環状封止部２Ｃｐは、筒状体としての側板部分３２ｓｐの軸方向（＋Ｚ方向）に沿った一端部としての＋Ｚ方向の側の端部から＋Ｚ方向に突起している部分（環状突起部ともいう）である。環状封止部２Ｃｐは、基体部３１の環状溝部１Ｃｇに対して嵌合するような形状を有している。
【００４７】
ここで、基体部３１に対して−Ｚ方向の側からカバー部３ｃｖが取り付けられる際には、例えば、図４で示されるように、まず、第２被保持部分３２ｈ２が、第２保持部分３１ｈ２に引っ掛けられる。このとき、第２被保持部分３２ｈ２が、第２保持部分３１ｈ２によって保持されている状態となる。この状態で、例えば、第１被保持部分３２ｈ１によって第１保持部分３１ｈ１を−Ｙ方向に押し倒しながら、側板部分３２ｓｐの−Ｙ方向の側の板状の部分を＋Ｚ方向に移動させていく。このとき、例えば、第１被保持部分３２ｈ１が、第１保持部分３１ｈ１の孔部Ｆ１ｈに嵌まることで、第１保持部分３１ｈ１が第１被保持部分３２ｈ１に引っ掛かる。このため、例えば、第１被保持部分３２ｈ１が、第１保持部分３１ｈ１によって保持されている状態となる。これにより、基体部３１に対してカバー部３ｃｖが取り付けられる。また、このとき、例えば、カバー部３ｃｖの環状封止部２Ｃｐが、第１パッキング部材Ｐｋ１を挟んで、基体部３１の環状溝部１Ｃｇに嵌合する。これにより、例えば、側板部分３２ｓｐが、底板部分３１ｂｐに接近している状態となる。ここでは、例えば、基体部３１とカバー部３ｃｖとの隙間を塞ぐように、第１パッキング部材Ｐｋ１が位置している状態となる。これにより、例えば、基体部３１とカバー部３ｃｖとの隙間を介した外部から端子ボックス３内への水分の浸入を抑制することができる。その結果、例えば、端子ボックス３内の各種部品の劣化を抑制することができる。また、例えば、外部から端子ボックス３を介した太陽電池モジュール１００内への水分の浸入を抑制することができる。
【００４８】
一方、ここで、基体部３１からカバー部３ｃｖが取り外される際には、例えば、まず、第１保持部分３１ｈ１を指または治具等で−Ｙ方向に押し倒しながら、カバー部３ｃｖの−Ｙ方向の側の板状部分を−Ｚ方向に移動させる。これにより、例えば、第１被保持部分３２ｈ１に第１保持部分３１ｈ１が引っ掛かっている状態が解除される。その後、例えば、第２保持部分３１ｈ２に第２被保持部分３２ｈ２が引っ掛かっている状態が解除される。これにより、基体部３１からカバー部３ｃｖが取り外され得る。
【００４９】
２つの筒状部３２ｃｃは、例えば、カバー部３ｃｖの−Ｙ方向の側に存在している。各筒状部３２ｃｃは、側板部分３２ｓｐから−Ｙ方向に突出するように位置している。各筒状部３２ｃｃは、＋Ｙ方向に貫通する貫通孔を有している。該貫通孔は、側板部分３２ｓｐも貫通している。該貫通孔の開口が第１開口Ｏｐ１に相当する。このため、筒状部３２ｃｃは、例えば、第１開口Ｏｐ１を形成している第１縁部Ｅｄ１を有している。第１開口Ｏｐ１は、例えば、ケーブル４のケーブル端子部４ｅｔを挿通させることができる。また、各筒状部３２ｃｃの外周部には、例えば、被固定部分３ｆｋが存在している。被固定部分３ｆｋは、例えば、ケーブル４の固定部分４ｆｋと嵌合することができる。ここでは、例えば、ケーブル端子部４ｅｔを第１開口Ｏｐ１から端子ボックス３内に挿入し、端子カバー４ｃｖを筒状部３２ｃｃに近接させた状態で、固定部分４ｆｋを被固定部分３ｆｋに嵌合させることができる。これにより、ケーブル４を端子ボックス３に容易に固定することができる。このとき、例えば、筒状部３２ｃｃと端子カバー４ｃｖとの間にパッキング部材が存在していれば、第１開口Ｏｐ１を介して端子ボックス３内に水分が浸入し難くなる。
【００５０】
第１実施形態では、カバー部３ｃｖは、例えば、側板部分３２ｓｐを含むカバー本体部３２と、上板部分３３ｕｐを含む蓋体部３３と、を有している。このとき、カバー本体部３２および蓋体部３３は、例えば、耐紫外線性を含む耐候性および遮水性に優れた樹脂等の一体成型等によって形成される。
【００５１】
＜２−２−２−１．カバー本体部＞
図３から図５、図８および図９で示されるように、カバー本体部３２は、上述した、側板部分３２ｓｐと、１以上の被保持部分３２ｈと、環状封止部２Ｃｐおよび２つの筒状部３２ｃｃとを有している。
【００５２】
また、カバー本体部３２は、例えば、第２方向（−Ｚ方向）の側に位置している開口（第３開口ともいう）Ｏｐ３を形成している縁部（第３縁部ともいう）Ｅｄ３を有している。図３から図５、図８および図９の例では、第３縁部Ｅｄ３は、筒状体としての側板部分３２ｓｐの−Ｚ方向の側の端部によって構成されている円環状の縁部である。
【００５３】
さらに、カバー本体部３２は、例えば、１以上の被取付部分３２ａを有している。１以上の被取付部分３２ａは、例えば、蓋体部３３の一部が取り付けられる部分である。１以上の被取付部分３２ａは、例えば、直接または取り付け用の部品（取付用部品ともいう）を介して、掛かり合うかまたは嵌まり合う構成によって、蓋体部３３の一部が取り付けられ得る。図３から図５、図８および図９の例では、１以上の被取付部分３２ａには、第１から第６被取付部分３２ａ１，３２ａ２，３２ａ３，３２ａ４，３２ａ５，３２ａ６が含まれている。第１被取付部分３２ａ１および第２被取付部分３２ａ２は、それぞれ側板部分３２ｓｐの−Ｙ方向の側の板状の部分から−Ｙ方向に突起している突起部を有している。第３被取付部分３２ａ３は、側板部分３２ｓｐの−Ｘ方向の側の板状の部分から−Ｘ方向に突起している突起部を有している。第４被取付部分３２ａ４および第５被取付部分３２ａ５は、それぞれ側板部分３２ｓｐの＋Ｙ方向の側の板状の部分から＋Ｙ方向に突起している突起部を有している。第６被取付部分３２ａ６は、側板部分３２ｓｐの＋Ｘ方向の側の板状の部分から＋Ｘ方向に突起している突起部を有している。第１から第６被取付部分３２ａ１，３２ａ２，３２ａ３，３２ａ４，３２ａ５，３２ａ６の突起部は、＋Ｚ方向に向かうにつれて、突起している高さが徐々に大きくなっている傾斜面を有している。また、該突起部は、＋Ｚ方向の側にＸＹ平面に略平行な面を有している。ここで、例えば、２つ以上の被取付部分３２ａが存在する場合には、２つ以上の被取付部分３２ａが、筒状体としての側板部分３２ｓｐのうちの内部空間を挟むように位置していれば、２つ以上の被取付部分３２ａに対して、蓋体部３３が安定して取り付けられ得る。
【００５４】
＜２−２−２−２．蓋体部＞
蓋体部３３は、第３開口Ｏｐ３を塞ぐようにカバー本体部３２に対して着脱可能に取り付けることができる。ここで、蓋体部３３が、カバー本体部３２に対して取り付けられれば、蓋体部３３は、第３開口Ｏｐ３を塞ぐようにカバー本体部３２に対して脱着可能な状態で取り付けられていることになる。このような構成では、例えば、端子ボックス３の電気回路を構成する端子部品群３１ｅｇ等を交換することなく、端子ボックス３の外部への露出度が高くて劣化が生じ易い、上板部分３３ｕｐを含む蓋体部３３と、側板部分３２ｓｐを含むカバー本体部３２と、をそれぞれ容易に交換することができる。これにより、資源の使用量を低減しつつ、低コストで端子ボックス３の劣化し易い部分を交換することができる。その結果、端子ボックス３および太陽電池モジュール１００の寿命を容易に延ばすことができる。
【００５５】
図３から図５、図１２および図１３で示されるように、蓋体部３３は、上述した、上板部分３３ｕｐを有している。また、蓋体部３３は、１以上の取付部分３３ａと、環状封止部３Ｃｐとを有している。
【００５６】
１以上の取付部分３３ａは、例えば、カバー本体部３２の一部としての被取付部分３２ａに取り付けられる部分である。１以上の取付部分３３ａは、例えば、直接または取り付け用の部品（取付用部品）を介して、掛かり合うかまたは嵌まり合う構成によって、カバー本体部３２の一部としての被取付部分３２ａに取り付けられ得る。図３から図５、図１２および図１３の例では、１以上の取付部分３３ａには、第１から第６取付部分３３ａ１，３３ａ２，３３ａ３，３３ａ４，３３ａ５，３３ａ６が含まれている。第１取付部分３３ａ１および第２取付部分３３ａ２は、それぞれ上板部分３３ｕｐの−Ｙ方向の側の部分から＋Ｚ方向に突出しており、＋Ｙ方向に貫通する孔部Ａ１ｈが形成されている板状の部分を有している。第３取付部分３３ａ３は、上板部分３３ｕｐの−Ｘ方向の側の部分から＋Ｚ方向に突出しており、＋Ｘ方向に貫通する孔部Ａ１ｈが形成されている板状の部分を有している。第４取付部分３３ａ４および第５取付部分３３ａ５は、それぞれ上板部分３３ｕｐの＋Ｙ方向の側の部分から＋Ｚ方向に突出しており、＋Ｙ方向に貫通する孔部Ａ１ｈが形成されている板状の部分を有している。第６取付部分３３ａ６は、上板部分３３ｕｐの＋Ｘ方向の側の部分から＋Ｚ方向に突出しており、＋Ｘ方向に貫通する孔部Ａ１ｈが形成されている板状の部分を有している。ここで、第１から第６取付部分３３ａ１，３３ａ２，３３ａ３，３３ａ４，３３ａ５，３３ａ６の板状部は、例えば、素材と厚さとが適宜調整されており、上板部分３３ｕｐの中央から離れる方向に倒れるように弾性変形を生じることが可能である。ここで、例えば、２つ以上の取付部分３３ａが存在する場合には、２つ以上の取付部分３３ａが、上板部分３３ｕｐの中央部を挟むような部分から突出していれば、２つ以上の取付部分３３ａに対して、カバー本体部３２に対して蓋体部３３が安定して取り付けられ得る。
【００５７】
環状封止部３Ｃｐは、例えば、上板部分３３ｕｐの＋Ｚ方向の側の面のうち、該上板部分３３ｕｐの外周部よりも少し内側に入った環状の領域から＋Ｚ方向に突起している部分である。図３から図５、図１２および図１３の例では、環状封止部３Ｃｐは、カバー本体部３２の第３開口Ｏｐ３に嵌まるような形状を有している。
【００５８】
ここで、カバー本体部３２に対して−Ｚ方向の側から蓋体部３３が取り付けられる際には、例えば、図４で示されるように、蓋体部３３の環状封止部３Ｃｐがカバー本体部３２の第３開口Ｏｐ３に嵌まるように、蓋体部３３を＋Ｚ方向に移動させる。このとき、例えば、第１から第６被取付部分３２ａ１，３２ａ２，３２ａ３，３２ａ４，３２ａ５，３２ａ６によって、第１から第６取付部分３３ａ１，３３ａ２，３３ａ３，３３ａ４，３３ａ５，３３ａ６が、筒状体としての側板部分３２ｓｐの外側の方向に向けて押されながら、蓋体部３３が＋Ｚ方向に移動される。その後、例えば、第１から第６被取付部分３２ａ１，３２ａ２，３２ａ３，３２ａ４，３２ａ５，３２ａ６が、第１から第６取付部分３３ａ１，３３ａ２，３３ａ３，３３ａ４，３３ａ５，３３ａ６の孔部Ａ１ｈに引っ掛かる。これにより、蓋体部３３が、カバー本体部３２に対して取り付けられる。また、このとき、例えば、蓋体部３３の環状封止部３Ｃｐの外周に第２パッキング部材Ｐｋ２が存在していれば、第２パッキング部材Ｐｋ２が、カバー本体部３２と蓋体部３３との隙間を塞ぐように位置している状態となる。これにより、例えば、カバー本体部３２と蓋体部３３との隙間を介した外部から端子ボックス３内への水分の浸入を抑制することができる。その結果、例えば、端子ボックス３内の部品の劣化を抑制することができる。また、例えば、外部から端子ボックス３を介した太陽電池モジュール１００内への水分の浸入を抑制することができる。
【００５９】
ここで、第２パッキング部材Ｐｋ２の形状は、例えば、蓋体部３３の環状封止部３Ｃｐの外周面が嵌まり込むような環状の形状を有している。第２パッキング部材Ｐｋ２の素材としては、例えば、第１パッキング部材Ｐｋ１の素材と同様に、ブチルゴム等の弾性変形が可能であり且つ耐候性に優れた素材が採用される。
【００６０】
一方、ここで、カバー本体部３２から蓋体部３３が取り外される際には、例えば、まず、第１から第６取付部分３３ａ１，３３ａ２，３３ａ３，３３ａ４，３３ａ５，３３ａ６を指または治具等を用いて側板部分３２ｓｐから離れる方向に押し倒しながら、蓋体部３３をカバー本体部３２に対して−Ｚ方向に移動させる。このとき、例えば、第１から第６被取付部分３２ａ１，３２ａ２，３２ａ３，３２ａ４，３２ａ５，３２ａ６が、第１から第６取付部分３３ａ１，３３ａ２，３３ａ３，３３ａ４，３３ａ５，３３ａ６の孔部Ａ１ｈに引っ掛かっている状態が解除される。これにより、カバー本体部３２から蓋体部３３が取り外され得る。
【００６１】
また、例えば、上板部分３３ｕｐに、＋Ｚ方向に貫通している貫通孔３３Ｈが存在していれば、該貫通孔３３Ｈに、端子ボックス３の内部の湿気を端子ボックス３の外部に放出し、端子ボックス３の外部から端子ボックス３の内部へは湿気を通過させない性質を有するフィルム等が位置していてもよい。
【００６２】
＜２−３．第１実施形態のまとめ＞
第１実施形態に係る太陽電池モジュール１００では、例えば、端子ボックス３の外部への露出度が高くて劣化が生じ易い側板部分３２ｓｐおよび上板部分３３ｕｐを含むカバー部３ｃｖを、端子ボックス３の電気回路を構成する端子部品群３１ｅｇを含む基体部３１に対して着脱することができる。このため、例えば、端子部品群３１ｅｇ等を交換することなく、カバー部３ｃｖを交換することができる。これにより、資源の使用量を低減しつつ、低コストで端子ボックス３の劣化し易い部分を交換することができる。よって、太陽電池モジュール用の端子ボックス３の寿命を容易に延ばすことができる。その結果、太陽電池モジュール１００の寿命を容易に延ばすことができる。
【００６３】
＜３．他の実施形態＞
本開示は上述の第１実施形態に限定されるものではなく、本開示の要旨を逸脱しない範囲において種々の変更、改良等が可能である。
【００６４】
＜３−１．第２実施形態＞
上記第１実施形態において、例えば、図１４で示されるように、雄ネジ等の保持用部品を介して、基体部３１Ａが、カバー部３ｃｖＡを保持するようにしてもよい。このため、例えば、基体部３１Ａの１以上の保持部分３１ｈが、底板部分３１ｂｐから第２方向（−Ｚ方向）の側に突出するように位置しており、カバー部３ｃｖを脱着可能な状態で直接または保持用部品を介して保持するような構成が採用されてもよい。
【００６５】
図１４の例では、保持用部品としての雄ネジ部品７Ａが採用されている。ここでは、上記第１実施形態に係る基体部３１が、１以上の保持部分３１ｈに、第３保持部分３１ｈ３が加えられた基体部３１Ａとされている。第３保持部分３１ｈ３には、柱状部分Ｃｙ１が含まれている。柱状部分Ｃｙ１は、−Ｚ方向の先端部に位置している開口を有する孔部ＨＬ４を有しており、該孔部ＨＬ４の内周面には雌ネジ部が位置している。また、上記第１実施形態に係るカバー部３ｃｖが、上板部分３３ｕｐを第１方向（＋Ｚ方向）に貫通している貫通孔３３ＨＡを有するカバー部３ｃｖＡとされている。このとき、上記第１実施形態に係る蓋体部３３が、上板部分３３ｕｐを第１方向（＋Ｚ方向）に貫通している貫通孔３３ＨＡを有する蓋体部３３Ａとされている。このため、上記第１実施形態に係る端子ボックス３が、基体部３１Ａと、カバー本体部３２と、蓋体部３３Ａと、を有する端子ボックス３Ａとされている。そして、雄ネジ部品７Ａは、貫通孔３３ＨＡを介して柱状部分Ｃｙ１の雌ネジ部に嵌合することで、基体部３１Ａに対して、カバー部３ｃｖＡが取り付けられる。この場合には、上板部分３３ｕｐの貫通孔３３ＨＡを形成している第４縁部Ｅｄ４が、第３被保持部分３１ｈ３によって保持用部品としての雄ネジ部品７Ａを介して保持されている部分となる。
【００６６】
このような構成では、例えば、雌ネジ部に雄ネジ部品７Ａを締結させることで、カバー部３ｃｖＡを基体部３１Ａに強く押し付けることができる。これにより、例えば、基体部３１Ａとカバー部３ｃｖＡとの間で第１パッキング部材Ｐｋ１を圧縮させることで、基体部３１Ａとカバー部３ｃｖとの間における水密性を向上させることができる。また、例えば、カバー部３ｃｖＡが、カバー本体部３２に対して蓋体部３３Ａが着脱可能である構成を有する場合には、蓋体部３３Ａをカバー本体部３２に強く押し付けることができる。これにより、例えば、カバー本体部３２と蓋体部３３Ａとの間で第２パッキング部材Ｐｋ２を圧縮させることで、カバー本体部３２と蓋体部３３Ａとの間における水密性を向上させることができる。このとき、例えば、上板部分３３ｕｐと第３保持部分３１ｈ３の柱状部分Ｃｙ１との間にパッキング部材が挟まれていれば、貫通孔３３ＨＡにおける水密性も向上し得る。
【００６７】
＜３−２．第３実施形態＞
上記第１実施形態および上記第２実施形態において、例えば、図１５で示されるように、カバー本体部３２と蓋体部３３，３３Ａとが一体的に構成されていてもよい。つまり、側板部分３２ｓｐと上板部分３３ｕｐとが一体的に構成されているカバー部３ｃｖＢが採用されてもよい。このとき、上記各実施形態に係る端子ボックス３，３Ａが、端子ボックス３Ｂとされる。これにより、例えば、側板部分３２ｓｐと上板部分３３ｕｐとを含むカバー部３ｃｖＢを、耐紫外線性を含む耐候性および遮水性に優れた樹脂等の一体成型等によって容易に形成することができる。
【００６８】
＜３−３．第４実施形態＞
上記第２実施形態および上記第３実施形態において、例えば、図１６で示されるように、例えば、基体部３１，３１Ａの１以上の保持部分３１ｈが、底板部分３１ｂｐから第２方向（−Ｚ方向）の側に突出するように位置しており且つカバー部３ｃｖＡを脱着可能な状態で保持用部品のみを介して保持するような構成が採用されてもよい。このとき、例えば、基体部３１Ａが、第１および第２保持部分３１ｈ１，３１ｈ２が取り除かれた基体部３１Ｃとされ、カバー本体部３２が、１以上の被保持部分３２ｈおよび１以上の被取付部分３２ａが取り除かれたカバー本体部３２Ｃとされ、蓋体部３３Ａが、１以上の取付部分３３ａが取り除かれた蓋体部３３Ｃとされてもよい。また、このとき、例えば、上記第２実施形態および上記第３実施形態に係る端子ボックス３Ａ，３Ｂは、基体部３１Ｃと、カバー本体部３２Ｃと、蓋体部３３Ｃとを有する端子ボックス３Ｃとされてもよい。
【００６９】
＜３−４．第５実施形態＞
上記第１から第４実施形態において、例えば、図１７および図１８で示されるように、基体部３１Ｄが有している１以上の保持部分３１ｈによって、上板部分３３ｕｐが直接保持されるような端子ボックス３Ｄが採用されてもよい。このとき、例えば、カバー本体部３２が、１以上の被保持部分３２ｈおよび１以上の被取付部分３２ａが取り除かれたカバー本体部３２Ｄとされてもよい。
【００７０】
図１７および図１８の例では、１以上の保持部分３１ｈには、底板部分３１ｂｐから−Ｚ方向に突出している一対の第４保持部分３１ｈ４および一対の第５保持部分３１ｈ５が含まれている。第４保持部分３１ｈ４および第５保持部分３１ｈ５は、それぞれ先端部に鉤型の部分を有しているフック部である。蓋体部３３Ｄは、上記第１実施形態に係る蓋体部３３から、１以上の取付部分３３ａが取り除かれて、上板部分３３ｕｐの−Ｚ方向の側の部分に、一対の突起部Ｐ３ａＤの間に溝部Ｇ１Ｄを形成している４組の突起部Ｐ３ａＤが設けられたものである。突起部Ｐ３ａＤは、素材および厚さが調整されることで、弾性変形を生じることができる。ここでは、図１８で示されるように、基体部３１Ｄに対して、カバー本体部３２Ｄおよび蓋体部３３Ｄが取り付けられる際に、各フック部が、各溝部Ｇ１Ｄに嵌まり込む。これにより、例えば、基体部３１Ｄに対して、カバー本体部３２Ｄおよび蓋体部３３Ｄが安定して取り付けられ得る。
【００７１】
＜３−５．第６実施形態＞
上記第１から第５実施形態において、例えば、図１９および図２０で示されるように、基体部３１Ｅが、保持用部品８Ｅを介して、カバー本体部３２Ｄおよび蓋体部３３Ｄを保持してもよい。図１９および図２０の例では、基体部３１Ｅは、第１実施形態に係る基体部３１のうち、第１保持部分３１ｈ１が一対の第６保持部分３１ｈ６に変更され、第２保持部分３１ｈ２が一対の第７保持部分３１ｈ７に変更されたものである。第６保持部分３１ｈ６は、底板部分３１ｂｐの−Ｙ方向の側において、−Ｚ方向に突出している板状の部分に＋Ｙ方向に貫通する貫通孔Ｈ１Ｅが形成されたものである。第７保持部分３１ｈ７は、底板部分３１ｂｐの＋Ｙ方向の側において、−Ｚ方向に突出している板状の部分に＋Ｙ方向に貫通する貫通孔Ｈ１Ｅが形成されたものである。保持用部品８Ｅは、−Ｚ方向に凸となっているＵ字状の部品である。保持用部品８Ｅの２つの先端には、それぞれ対向する部分に鉤型の形状を有しているフック部８Ｆ１が存在している。保持用部品８Ｅは、例えば、一対のフック部８Ｆ１の間隔が拡がる方向に弾性変形を生じることができる。このような変更によって、例えば、上記第１実施形態に係る端子ボックス３が、端子ボックス３Ｅとされる。ここでは、図２０で示されるように、例えば、基体部３１Ｅに対して、カバー本体部３２Ｄおよび蓋体部３３Ｄが取り付けられる際に、各溝部Ｇ１Ｄに保持用部品８Ｅが嵌まり込むとともに、各保持用部品８Ｅのフック部８Ｆ１が、保持用部品８Ｅの弾性力によって貫通孔Ｈ１Ｅに嵌まり込む。これにより、例えば、基体部３１Ｅに対して、カバー本体部３２Ｄおよび蓋体部３３Ｄが安定して取り付けられ得る。
【００７２】
＜４．その他＞
上記各実施形態では、例えば、図２１で示されるように、カバー本体部３２Ｆが筒状体を有しておらず、カバー本体部３２Ｆに蓋体部３３Ｆが装着されることで、端子部品群３１ｅｇを第２方向（−Ｚ方向）に対して垂直な方向から全周にわたって、カバー本体部３２Ｆと蓋体部３３Ｆとによって囲まれてもよい。
【００７３】
上記各実施形態では、例えば、側板部分３２ｓｐによって構成される筒状体は、例えば、四角筒状、三角筒状、円筒状および楕円筒状等といった何れの形状の筒状体であってもよい。
【００７４】
上記各実施形態では、例えば、光電変換部１３を構成しているＮ個の太陽電池素子１３１の数が少ない場合には、ダイオード３１ｂｙが省略されてもよい。また、例えば、ダイオード３１ｂｙに、２つの電極部としての第１電極部Ｐｇ１および第２電極部Ｐｇ２が存在し、端子部品群３１ｅｇに、３つの端子部品としての第１端子部品Ｅｐ１、第２端子部品Ｅｐ２および第３端子部品Ｅｐ３が存在している構成が採用されてもよい。
【００７５】
上記各実施形態では、例えば、カバー部３ｃｖ，３ｃｖＡ，３ｃｖＢが、３つ以上の部分が相互に着脱自在に取り付け可能な構成を有していてもよい。
【００７６】
上記各実施形態では、例えば、１つの太陽電池モジュール１００が、２以上の端子ボックス３を有していてもよい。
【００７７】
上記各実施形態では、例えば、第１開口Ｏｐ１を形成している第１縁部Ｅｄ１が、カバー本体部３２，３２Ｃ，３２Ｄ，３２Ｆおよび蓋体部３３，３３Ａ，３３Ｃ，３３Ｄ，３３Ｆの双方にわたって存在していてもよいし、カバー部３ｃｖ，３ｃｖＡ，３ｃｖＢおよび基体部３１，３１Ａ，３１Ｃ，３１Ｄ，３１Ｅの双方にわたって存在していてもよい。
【００７８】
上記各実施形態では、例えば、第１端子部品Ｅｐ１から第１開口Ｏｐ１にかけて配線が位置しており、該第１開口Ｏｐ１にケーブル４の端子を差し込むことができる差し込み部が存在している構成が採用されてもよい。また、例えば、第４端子部品Ｅｐ４から第１開口Ｏｐ１にかけて配線が位置しており、該第１開口Ｏｐ１にケーブル４の端子を差し込むことができる差し込み部が存在している構成が採用されてもよい。このような構成では、例えば、ケーブル４を容易に交換することができる。
【００７９】
上記各実施形態では、例えば、カバー部３ｃｖ，３ｃｖＡ，３ｃｖＢと底板部分３１ｂｐとが当接していてもよい。このとき、例えば、カバー部３ｃｖと底板部分３１ｂｐとが当接している部分において、カバー部３ｃｖ，３ｃｖＡ，３ｃｖＢおよび底板部分３１ｂｐの少なくとも一方が弾性を有する表面を有していれば、カバー部３ｃｖと底板部分３１ｂｐとの間における水密性が向上し得る。
【００８０】
上記各実施形態および各種変形例をそれぞれ構成する全部または一部を、適宜、矛盾しない範囲で組み合わせ可能であることは言うまでもない。
【符号の説明】
【００８１】
１  太陽電池パネル
１ｂ  裏面
３，３Ａ，３Ｂ，３Ｃ，３Ｄ，３Ｅ  端子ボックス
３Ｉｎ  被装着部
３ｃｖ，３ｃｖＡ，３ｃｖＢ  カバー部
４  ケーブル
４ｃｂ  ケーブル本体部
４ｅｔ  ケーブル端子部
５  封止部材
７Ａ  雄ネジ部品
８Ｅ  保持用部品
１３  光電変換部
３１，３１Ａ，３１Ｃ，３１Ｄ，３１Ｅ  基体部
３１Ｂｓ  台座
３１ｂｐ  底板部分
３１ｂｙ  ダイオード
３１ｅｇ  端子部品群
３１ｈ  保持部分
３２，３２Ｃ，３２Ｄ，３２Ｆ  カバー本体部
３２ａ  被取付部分
３２ｈ  被保持部分
３２ｓｐ  側板部分
３３，３３Ａ，３３Ｃ，３３Ｄ，３３Ｆ  蓋体部
３３ａ  取付部分
３３ｕｐ  上板部分
３３Ｈ，３３ＨＡ  貫通孔
１００  太陽電池モジュール
Ｃｙ１  柱状部分
Ｅｄ１  第１縁部
Ｅｄ２  第２縁部
Ｅｄ３  第３縁部
Ｅｐ１  第１端子部品
Ｅｐ２  第２端子部品
Ｅｐ３  第３端子部品
Ｅｐ４  第４端子部品
Ｏｌ１  第１電極装着部
Ｏｌ２  第２電極装着部
Ｏｌ３  第３電極装着部
Ｏｌ４  第４電極装着部
Ｏｐ１  第１開口
Ｏｐ２  第２開口
Ｏｐ３  第３開口
Ｐｇ１  第１電極部
Ｐｇ２  第２電極部
Ｐｇ３  第３電極部
Ｐｇ４  第４電極部
Ｐｋ１  第１パッキング部材
Ｐｋ２  第２パッキング部材
Ｓｆ１  第１面
Ｓｆ２  第２面
Ｗ１，Ｗ１１，Ｗ１２，Ｗ１３，Ｗ１４  配線材
【図１】
2018074805.tif 000003
【図２】
2018074805.tif 000004
【図３】
2018074805.tif 000005
【図４】
2018074805.tif 000006
【図５】
2018074805.tif 000007
【図６】
2018074805.tif 000008
【図７】
2018074805.tif 000009
【図８】
2018074805.tif 000010
【図９】
2018074805.tif 000011
【図１０】
2018074805.tif 000012
【図１１】
2018074805.tif 000013
【図１２】
2018074805.tif 000014
【図１３】
2018074805.tif 000015
【図１４】
2018074805.tif 000016
【図１５】
2018074805.tif 000017
【図１６】
2018074805.tif 000018
【図１７】
2018074805.tif 000019
【図１８】
2018074805.tif 000020
【図１９】
2018074805.tif 000021
【図２０】
2018074805.tif 000022
【図２１】
2018074805.tif 000023